(57)【要約】【課題】既設雨水桝を加工することにより、低コストで迅速に雨水浸透桝を施工することができる既設雨水桝の雨水浸透桝化工法を提供すること。【解決手段】既設雨水桝１０を構成する有底筒状の桝本体１２を地中に埋設したままの状態で加工し、その底部に貫通穴２４を形成する。貫通穴２４の下方にある土を掘削して浸透部材収容穴２６を形成し、その浸透部材収容穴２６に多孔性の浸透部材１３を配設することで既設雨水桝１０を雨水浸透桝１１に改変する。浸透部材１３は、周面に複数の透孔３３を有するパイプ３１と、複数の透孔３３よりも細かい複数の細孔３４を有し、パイプ３１内に挿抜可能に配置される浸透性のストレーナー３２とを含んで構成される。【選択図】  図１
2007315088.tif 000002
【特許請求の範囲】
【請求項１】
地中に埋設された既設雨水桝を加工して雨水浸透桝に改変する工法であって、
前記既設雨水桝を構成する有底筒状の桝本体を地中に埋設したままの状態で加工し、その底部に貫通穴を形成する穴あけ工程と、
前記貫通穴の近傍に多孔性の浸透部材を配設する浸透部材配設工程と
を含むことを特徴とする、既設雨水桝の雨水浸透桝化工法。
【請求項２】
前記穴あけ工程では、前記貫通穴の下方にある土を掘削して浸透部材収容穴を形成し、前記浸透部材配設工程では、前記浸透部材収容穴内に前記浸透部材を配設することを特徴とする請求項１に記載の既設雨水桝の雨水浸透桝化工法。
【請求項３】
前記浸透部材は、周面に複数の透孔を有する筒体と、前記複数の透孔よりも細かい複数の細孔を有し、前記筒体内に挿抜可能に配置される浸透性のフィルタ材とを含んで構成され、
前記浸透部材配設工程では、前記浸透部材収容穴内に前記筒体を縦置きで配設した後、前記筒体内に前記フィルタ材を挿入配置することを特徴とする請求項２に記載の既設雨水桝の雨水浸透桝化工法。
【請求項４】
地中に埋設された既設雨水桝を加工して雨水浸透桝に改変するときに使用する装置であって、
本体フレームと、
前記本体フレームに支持される駆動装置と、
前記駆動装置の回転軸の先端に装着され、前記桝本体の底部に貫通穴を形成するための回転切削工具と、
前記既設雨水桝の内側面に当接することで前記駆動装置の駆動時における前記回転軸のブレを防止する回転軸ブレ防止手段と
を備えたことを特徴とする既設雨水桝加工装置。
【請求項５】
前記回転軸ブレ防止手段は、前記回転軸に直交する複数の方向に伸縮可能に設けられた複数のアーム部と、各アーム部の伸縮量を調節するための調節部とを有することを特徴とする請求項４に記載の既設雨水桝加工装置。
【請求項６】
地中に埋設された既設雨水桝を加工して形成された雨水浸透桝であって、
底部に貫通穴が形成された有底筒状の桝本体と、
前記桝本体の側壁に設けられ雨水本管と連結された排出管と、
周面に複数の透孔を有する筒体と、前記複数の透孔よりも細かい複数の細孔を有し、前記筒体内に挿抜可能に配置される浸透性のフィルタ材とを含んで構成された浸透部材と
を備え、前記貫通穴の下方にある浸透部材収容穴内に前記筒体が縦置きで配設され、前記筒体内に前記フィルタ材が挿入配置されていることを特徴とする雨水浸透桝。
【発明の詳細な説明】
【技術分野】
【０００１】
本発明は、既設雨水桝を加工して雨水浸透桝に改変する既存雨水桝の雨水浸透桝化工法、既存雨水桝加工装置、及び雨水浸透桝に関するものである。
【背景技術】
【０００２】
現在、市街地においては、コンクリートジャングルのように都市化が進み、地表面がコンクリートやアスファルトで舗装されている。その結果、雨水の浸透域が減少し、雨水による地表面での流出量が増大してきている。そのため、大雨時において雨水管渠などの排水設備に大きな負荷がかかり、都市洪水の原因となっている。また、下水管渠や雨水管渠の整備により、雨水が地中に浸透しないため、河川に流入する地下水が減少している。これにより、河川の自然浄化能力も失われつつあり、河川の水質汚濁などの原因となっている。
【０００３】
この対策として、道路や駐車場などの舗装路に降った雨水を地中に浸透させる雨水浸透桝が開発され、道路や駐車場の側溝部分に設置されている。また、河川や湖の浄化が必要な地域では、各家庭の敷地内において屋根などに降った雨水を地中に浸透させるために雨水浸透桝を設置することが自治体により推奨されており、その雨水浸透桝の設置に対して補助金を交付することで雨水浸透桝の普及が図られている。
【０００４】
このように、雨水を地中に浸透させる雨水浸透桝が、例えば特許文献１，２などに開示されている。特許文献１の浸透桝では、桝本体の底部に標線が施されており、その標線を目印として、施工現場に適した大きさの浸透孔が形成される。また、特許文献２の浸透桝では、桝本体の側面壁側にノックアウトが可能な凹状部が複数設けられている。この凹状部を選択的にノックアウトして、施工現場に適した大きさの浸透孔が形成される。
【０００５】
さらに、家庭排水などの汚水を地下に浸透させる汚水枡が、例えば特許文献３などに開示されている。この汚水枡は、汚水をためる桝本体と、桝本体の下方の地中に挿入される中空パイプとを備え、桝本体に溜まった汚水を中空パイプを介して地中に浸透させるように構成されている。
【特許文献１】特開平８−３１９６５７号公報
【特許文献２】特開２００２−２１１７０号公報
【特許文献３】特開２０００−１８９９８５号公報
【発明の開示】
【発明が解決しようとする課題】
【０００６】
ところで、従来の市街地においては、桝本体に浸透孔が設けられていない雨水桝が数多く設置されている。都市洪水の回避や河川などの浄化を目的として、それら雨水桝を、特許文献１，２などの浸透桝に置き換える場合、既設の雨水桝を舗装路の地中から取り除き、新たな浸透桝を設置する必要があるため、取替えコストが嵩んでしまう。また、道路の補修・改修工事の一部として浸透桝の設置工事を行うといった現状を考えると、浸透桝の施工数量が限られることから、浸透桝の製造コストも高くなる。
【０００７】
因みに、特許文献３のような汚水枡を新たに設置する場合、パワーショベル等の重機を利用して中空パイプを地中に埋め込む必要があり、設置費用が嵩んでしまう。さらに、中空パイプ内にゴミなどが詰まった場合には浸透能力が低下してしまうが、中空パイプは地中深く挿入されているため、中空パイプを取り外してその目詰まりを解消することは困難である。しかも、汚水桝に流れてくる排水は通常そのまま河川に放流できないものであり、特許文献３のように汚水を地中に浸透させること自体が本来妥当ではない。
【０００８】
本発明は上記の課題に鑑みてなされたものであり、その目的は、既設雨水桝を加工することにより、低コストで迅速に雨水浸透桝を施工することができる既設雨水桝の雨水浸透桝化工法を提供することにある。また、別の目的は、既設雨水桝の雨水浸透桝化工法に使用するのに好適な既設雨水桝加工装置を提供することにある。また、別の目的は、既設雨水桝を加工して、より多くの雨水を排出することができる雨水浸透桝を提供することにある。
【課題を解決するための手段】
【０００９】
上記課題を解決するために、請求項１に記載の発明は、地中に埋設された既設雨水桝を加工して雨水浸透桝に改変する工法であって、前記既設雨水桝を構成する有底筒状の桝本体を地中に埋設したままの状態で加工し、その底部に貫通穴を形成する穴あけ工程と、前記貫通穴の近傍に多孔性の浸透部材を配設する浸透部材配設工程とを含むことを特徴とする、既設雨水桝の雨水浸透桝化工法をその要旨とする。
【００１０】
請求項１に記載の発明によれば、穴あけ工程において、既設雨水桝の桝本体が地中に埋設された状態でその桝本体の底部に貫通穴が形成される。そして、浸透部材配設工程において、その貫通穴の近傍に多孔性の浸透部材が配設される。このようにすれば、既設雨水桝を地中から掘り起こすことなく、その雨水桝を雨水浸透桝に改変することができる。従って、新規の雨水浸透桝に取り替える場合と比較して、簡単かつ迅速に雨水浸透桝を施工することができ、その施工コストを半分以下のコストに抑えることができる。
【００１１】
請求項２に記載の発明は、請求項１において、前記穴あけ工程では、前記貫通穴の下方にある土を掘削して浸透部材収容穴を形成し、前記浸透部材配設工程では、前記浸透部材収容穴内に前記浸透部材を配設することをその要旨とする。
【００１２】
請求項２に記載の発明によれば、桝本体の底部から下方に突出するように浸透部材が配設されるので、貫通穴のみを設けた場合と比較して雨水の浸透面積を十分に確保することができる。また、雨水は桝本体の底部に溜まるので、貫通穴を通して浸透部材から雨水を効率よく地中に浸透させることができる。
【００１３】
請求項３に記載の発明は、請求項２において、前記浸透部材は、周面に複数の透孔を有する筒体と、前記複数の透孔よりも細かい複数の細孔を有し、前記筒体内に挿抜可能に配置される浸透性のフィルタ材とを含んで構成され、前記浸透部材配設工程では、前記浸透部材収容穴内に前記筒体を縦置きで配設した後、前記筒体内に前記フィルタ材を挿入配置することをその要旨とする。
【００１４】
請求項３に記載の発明によれば、貫通穴の下方に形成された浸透部材収容穴内に筒体が縦置きで配設され、その筒体内部に浸透性のフィルタ材が挿入されることで、筒体とフィルタ材とからなる多孔性の浸透部材が貫通穴の下方に装着される。この浸透部材は、筒体の周面に複数の透孔を有するため、雨水の浸透面積を十分に確保することができる。また、筒体の透孔よりも細かい複数の細孔を有するフィルタ材を筒体内に設けることによって、雨水に含まれるゴミ（砂利や葉っぱなど）が筒体内部に入り込むことを防止することができる。従って、筒体の透孔の目詰まりなどによる雨水の浸透能力の低下を抑えることができる。さらに、この浸透部材では、筒体が縦置きで配設されているため、桝本体の底部の貫通穴を通してフィルタ材の着脱を容易に行うことができ、メンテナンス作業を迅速に行うことができる。
【００１５】
請求項４に記載の発明は、地中に埋設された既設雨水桝を加工して雨水浸透桝に改変するときに使用する装置であって、本体フレームと、前記本体フレームに支持される駆動装置と、前記駆動装置の回転軸の先端に装着され、前記桝本体の底部に貫通穴を形成するための回転切削工具と、前記既設雨水桝の内側面に当接することで前記駆動装置の駆動時における前記回転軸のブレを防止する回転軸ブレ防止手段とを備えたことを特徴とする既設雨水桝加工装置をその要旨とする。
【００１６】
請求項４に記載の発明によれば、本体フレームに駆動装置が支持され、その駆動装置によって回転軸が回転駆動される。また、回転軸ブレ防止手段が既設雨水桝の内側面に当接することで、駆動装置の駆動時における回転軸のブレが防止される。そのため、回転軸の先端に装着された切削器具により、桝本体の底部に貫通穴を精度良く形成することができる。また、このような構成の加工装置によれば、既設雨水桝が例えばコンクリート製であったとしても、桝本体の底部の破損等を伴うことなく所望の貫通穴を形成することができる。
【００１７】
請求項５に記載の発明は、請求項４において、前記回転軸ブレ防止手段は、前記回転軸に直交する複数の方向に伸縮可能に設けられた複数のアーム部と、各アーム部の伸縮量を調節するための調節部とを有することをその要旨とする。
【００１８】
請求項５に記載の発明によれば、回転軸ブレ防止手段の複数のアーム部を回転軸に直交する複数の方向に伸ばすことにより、各アーム部の先端を桝本体のコーナー部などに当接させることができる。よって、回転軸を複数の点で支持固定することができる。また、桝本体のサイズが異なる場合でも、調節部によって複数のアーム部の伸縮量を調節すれば、各アーム部の先端を桝本体に確実に当接させることができる。従って、この回転軸ブレ防止手段を用いることにより、回転軸のブレが確実に防止されるため、桝本体の底部における所定の位置に貫通穴を正確に形成することができる。
【００１９】
請求項６に記載の発明は、地中に埋設された既設雨水桝を加工して形成された雨水浸透桝であって、底部に貫通穴が形成された有底筒状の桝本体と、前記桝本体の側壁に設けられ雨水本管と連結された排出管と、周面に複数の透孔を有する筒体と、前記複数の透孔よりも細かい複数の細孔を有し、前記筒体内に挿抜可能に配置される浸透性のフィルタ材とを含んで構成された浸透部材とを備え、前記貫通穴の下方にある浸透部材収容穴内に前記筒体が縦置きで配設され、前記筒体内に前記フィルタ材が挿入配置されていることを特徴とする雨水浸透桝をその要旨とする。
【００２０】
請求項６に記載の発明によれば、既設雨水桝において排出管から雨水本管に排出していた雨水の一部を、桝本体の底部の貫通穴から浸透部材を通して地中に浸透させることができる。従って、本発明の雨水浸透桝を用いれば、より多くの雨水を排出することが可能となる。この雨水浸透桝に装着される浸透部材は、筒体の周面に複数の透孔を有するため、雨水の浸透面積を十分に確保できる。また、筒体の透孔よりも細かい複数の細孔を有するフィルタ材を筒体内に設けることによって、雨水に含まれるゴミ（砂利や葉っぱなど）が筒体内部に入り込むことを防止することができる。従って、筒体の透孔の目詰まりなどによる雨水の浸透能力の低下を抑えることができる。さらに、この浸透部材では、筒体が縦置きで配設されているため、桝本体の底部の貫通穴を通してフィルタ材の着脱を容易に行うことができ、メンテナンス作業を迅速に行うことができる。
【発明の効果】
【００２１】
以上詳述したように、請求項１〜３に記載の発明によると、既設雨水桝を加工して、低コストで迅速に雨水浸透桝を施工することができる既設雨水桝の雨水浸透桝化工法を提供することができる。また、請求項４または５に記載の発明によると、既設雨水桝の雨水浸透桝化工法に使用するのに好適な既設雨水桝加工装置を提供することができる。さらに、請求項６に記載の発明によると、既設雨水桝を加工して、より多くの雨水を排出することができる雨水浸透桝を提供することができる。
【発明を実施するための最良の形態】
【００２２】
以下、本発明を具体化した一実施の形態を図面に基づき詳細に説明する。
【００２３】
図１に示されるように、本実施の形態の雨水浸透桝１１は、有底の四角筒状（方形状）に形成されたコンクリート製の桝本体１２と、桝本体１２の底部に装着された浸透部材１３とを備える。桝本体１２は、例えば、縦横３０ｃｍ、深さ９０ｃｍのサイズを有する。なお、本実施形態では桝本体１２として四角筒状のものを例示したが、四角形以外の筒状（例えば円筒筒状や六角筒状など）であってもよい。桝本体１２の側壁には排出管１５が設けられおり、排出管１５は雨水本管１６に接続されている。具体的には、雨水本管１６は、舗装した道路の中央に設けられ、桝本体１２は、道路両脇の路肩の地中に設けられる。また、桝本体１２の上部の開口部２１には、簀子状の上蓋（グレーチング蓋）２２が装着され、路面に降った雨水はそのグレーチング蓋２２の隙間から桝本体１２内部に流入されて一旦蓄えられる。そして、桝本体１２に蓄えられた雨水は、排出管１５を介して下流側の雨水本管１６に排出され、さらにその雨水本管１６を介して河川に流される。
【００２４】
桝本体１２における底面中央には、円形の貫通穴２４が形成されている。そして、その貫通穴２４に下方には、土２５を掘削することで断面円形状の浸透部材収容穴２６が形成され、その浸透部材収容穴２６内に浸透部材１３が配設されている。浸透部材１３は、塩化ビニルなどの樹脂からなる円筒状のパイプ（筒体）３１と、パイプ３１内に挿抜可能に配置されるストレーナー３２とを備える。パイプ３１は、例えば直径２０ｃｍ、長さ４０ｃｍのサイズであり、その周面に２ｃｍ程度の複数の透孔３３が形成されている。
【００２５】
ストレーナー３２は、透孔３３よりも細かい複数の細孔３４を有する浸透性のフィルタ材であり、芯棒３５に樹脂繊維を巻きつけることで円柱状に形成されている。このストレーナー３２（芯棒３５）の両端には、樹脂繊維を挟み込むように薄い金属板３６が固定されており、ストレーナー３２の一方（図１では上方）の金属板３６には着脱用のフック３７が設けられている。ここで、作業用の棒などを利用してこのフック３７に引っ掛けることにより、パイプ３１に対するストレーナー３２の着脱を容易に行うことができる。また、金属板３６には複数の貫通穴３８が形成され、その金属板３６の直径は、樹脂繊維の部分よりも若干小さくなっている。この構成により、桝本体１２の底部に溜まった雨水がパイプ３１の内壁面に沿ってストレーナー３２に確実に浸透する。なお、ストレーナー３２の芯棒３５や金属板３６は、雨水で錆びることがない材料、例えばステンレスを用いて形成されている。
【００２６】
本実施の形態の雨水浸透桝１１は、道路の路肩に埋設された既設雨水桝１０（図２参照）を加工することで形成される。以下には、その既設雨水桝１０を雨水浸透桝１１に改変するための加工装置について図３及び図４を用いて説明する。なお、図３は、加工装置４０の側面図であり、図４は、加工装置４０の正面図である。
【００２７】
図３及び図４に示すように、本実施の形態における加工装置４０は、本体フレーム４１と、昇降装置４２と、駆動装置としての油圧モータ４３と、油圧ユニット４４とを備える。
【００２８】
本体フレーム４１は、その底部に設けられるベース部材４６と、ベース部材４６から垂直に立設された枠状のガイドフレーム４７とを有する。ベース部材４６の一方の端部には、本体フレーム４１を移動させるための車輪４８が設けられている。ベース部材４６における車輪４８の近傍には、本体フレーム４１を水平に保つための水平調節機構４９が設けられている。水平調節機構４９は、ベース部材４６を貫通するねじ穴に螺入されるボルト５１と、そのボルト５１の下端部に固定され、本体フレーム４１を支える平板５２とを備える。この水平調節機構４９において、ボルト５１を回すことにより、ベース部材４６に対する平板５２の突出量が変更され、本体フレーム４１の水平度が調節される。
【００２９】
ガイドフレーム４７には、その前面側に突出する可動部材５４が昇降自在に設けられている。また、ガイドフレーム４７の背面側には、ガイドフレーム４７の長手方向（上下方向）に沿って駆動チェーン５５が設けられるとともに、その駆動チェーン５５を介して可動部材５４を昇降させるための操作ハンドル５６が設けられている。本実施の形態では、可動部材５４と駆動チェーン５５と操作ハンドル５６とにより昇降装置４２が構成される。この昇降装置４２において、操作ハンドル５６を正回転させることで可動部材５４が上昇し、操作ハンドル５６を逆回転させることで可動部材５４が下降する。
【００３０】
さらに、可動部材５４には、垂直方向に伸びる支柱５８の上端部が連結され、その支柱５８の下端部（先端部）に油圧モータ４３が設けられている。この油圧モータ４３は、高圧ホース６１を介して油圧ユニット４４に接続されており、その油圧ユニット４４から所定圧力の作動油が供給されることで回転軸６２を回転駆動する。この油圧モータ４３における回転軸６２の先端には、コンクリートを切り抜くための円形コンクリートカッター（回転切削工具）６３が固定されている。なお、その回転軸６２の先端には、円形コンクリートカッター６３の他に、土壌を掘削するためのスクリューオーガーも装着可能になっている。
【００３１】
本実施の形態では、油圧モータ４３を支持する支柱５８の途中に、その軸振れを防止する回転軸ブレ防止手段としての軸振れ防止金具６５が設けられている。図５に示されるように、軸振れ防止金具６５は、支柱５８を挿入するための貫通穴を有する鉄板６６と、油圧モータ４３の回転軸６２に直交する複数の方向（水平方向）に伸縮可能に設けられた複数のアーム部６７と、各アーム部６７の伸縮量を調節するための調節シャフト６８とを備える。本実施の形態の軸振れ防止金具６５では、桝本体１２のコーナー部に対応して４つのアーム部６７が設けられている（図６参照）。各アーム部６７は、当接部材７０と、先端が当接部材７０に接続される２本の関節部材７１とを備える。
【００３２】
軸振れ防止金具６５において、鉄板６６は長尺のボルトとナットとで固定され、この鉄板６６の四隅に設けた各穴部６９に調節シャフト６８の端部が挿入されている。調節シャフト６８にはウォームが形成されており、その調節シャフト６８の下端部はベアリング７３を介して回転可能に固定されている。そして、この調節シャフト６８に、アーム部６７（関節部材７１）の基端が固定されている。具体的には、アーム部６７の一方（図５では上方）の関節部材７１の端部が、軸方向に移動不能に固定されており、他方（図５では下方）の関節部材７１の端部は、内ねじが形成され、調節シャフト６８のウォームに嵌合された状態で軸方向に移動可能に固定されている。つまり、この調節シャフト６８を回転させることで、下側の関節部材７１の基端が調節シャフト６８に沿って上下方向に移動する。ここで、調節シャフト６８を回転させて下側の関節部材７１の基端を最下端部に移動させると、関節部材７１が軸方向と平行になり、アーム部６７（当接部材７０）が内側に収まる。また、図５及び図６において破線で示すように、調節シャフト６８を回転させて下側の関節部材７１の基端を上方に移動させると、その関節部材７１が水平方向に徐々に起き上がり、各アーム部６７（当接部材７０）が回転軸６２に直交する方向（水平方向）に伸びる。
【００３３】
なお、本実施の形態では、各調節シャフト６８の上端部に調節ツマミ７５が設けられており、作業者がその調節ツマミ７５を回すことで、調節シャフト６８を容易に回転させることができるようになっている。
【００３４】
次に、本実施の形態の加工装置４０を使用して既設雨水桝１０を雨水浸透桝１１に改変するための雨水浸透桝化工法について説明する。
【００３５】
先ず、加工前準備工程において、既存雨水桝１０のグレーチング蓋２２を開け、建設工事用の掃除機を使用して、桝本体１２内の雨水や泥などを除去する。そして、桝本体１２の底が確認できる状態にした後、加工装置４０を桝本体１２の上部に配置させる。このとき、加工装置４０のベース部材４６において、車輪４８のない他方の端部を桝本体１２の外側に配設された凸部（例えば、図３に示す角材５３）に載せる。その状態で車輪４８側の水平調節機構４９を調節することにより、平板５２の突出量を変更して本体フレーム４１を水平に保つようにする。
【００３６】
続く回転軸固定工程では、加工装置４０の操作ハンドル５６を回すことで可動部材５４及び支柱５８を下げ、その支柱５８に設けられている軸振れ防止金具６５及び油圧モータ４３を桝本体１２内部に配置させる。その状態で、軸振れ防止金具６５の調節シャフト６８を回して各アーム部６７の伸縮量を調節することで、各アーム部６７の当接部材７０を桝本体１２のコーナー部に当接させる（図６参照）。この軸振れ防止金具６５によって、油圧モータ４３の回転軸６２が水平方向にブレないように固定される。
【００３７】
その後、穴あけ工程では、油圧ユニット４４を作動させ、油圧ユニット４４から油圧モータ４３に作動油を供給することで、その油圧モータ４３を駆動して円形コンクリートカッター６３を回転させる。このとき、加工装置４０の操作ハンドル５６を回して、可動部材５４及び支柱５８を介して油圧モータ４３を下げる。そして、図７（ａ）に示されるように、円形コンクリートカッター６３を桝本体１２の底面に当接させるとともに、上方から所定の力を円形コンクリートカッター６３に作用させる。その結果、図７（ｂ）及び図８（ａ）に示されるように、桝本体１２の底面が切削され円形の貫通穴２４が形成される。なおこのとき、円形コンクリートカッター６３による切削部分に冷却水が放水され、円形コンクリートカッター６３に生じる摩擦熱が冷却される。
【００３８】
この貫通穴２４の形成後、油圧モータ４３の回転を一旦停止し、回転軸６２の先端に装着されている円形コンクリートカッター６３をスクリューオーガーに取り替える。その後、図７（ｃ）に示されるように、油圧モータ４３を駆動してスクリューオーガー６４を回転させ、そのスクリューオーガー６４によって、貫通穴２４の下方にある土２５を掘削して浸透部材収容穴２６を形成する。この際、スクリューオーガー６４によって掘削された土２５は、建設工事用の掃除機等によって除去される。また、浸透部材収容穴２６の形成後、加工装置４０を桝本体１２の上部から邪魔にならない位置に移動させる。
【００３９】
浸透部材配設工程では、図７（ｄ）及び図８（ｂ）に示すように、浸透部材収容穴２６内にパイプ３１を縦置きで配設した後、図７（ｄ）及び図８（ｃ）に示すように、そのパイプ３１内にストレーナー３２を挿入配置する。これにより、桝本体１２の底部に浸透部材１３が装着される。そして、図１に示されるように、桝本体１２の上部にグレーチング蓋２２を装着することで、既設雨水桝１０を雨水浸透桝１１に改変するための作業が完了する。
【００４０】
また、長期間使用した雨水浸透桝１１をメンテナンスする場合、桝本体１２の底部に溜まった泥やゴミを除去した後、作業用の棒などを利用してフック３７に引っ掛けてストレーナー３２をパイプ３１から抜き取る。そして、そのストレーナー３２を水洗浄して内部に溜まった泥などを除去した後、再びパイプ３１内に挿入する。なお、このメンテナンス時には、新品のストレーナー３２に交換してもよい。このようなメンテナンス作業を行うことで、雨水浸透桝１１の浸透能力が施工時の状態に回復される。
【００４１】
従って、本実施の形態によれば以下の効果を得ることができる。
【００４２】
（１）本実施の形態の場合、既設雨水桝１０の桝本体１２を地中に埋設したままの状態で加工してその底部に貫通穴２４が形成され、その貫通穴２４の下方に多孔性の浸透部材１３が配設される。このようにすれば、既設雨水桝１０を地中から掘り起こすことなく、その雨水桝１０を雨水浸透桝１１に改変することができる。従って、従来技術のように新規の雨水浸透桝に取り替える場合と比較して、簡単かつ迅速に雨水浸透桝１１を施工することができ、その施工コストを半分以下のコストに抑えることができる。
【００４３】
（２）本実施の形態の雨水浸透桝１１では、桝本体１２の底面から下方に突出するように浸透部材１３が配設されるので、底面に貫通穴２４のみを設けた雨水浸透桝と比較して雨水の浸透面積を十分に確保することができる。また、雨水は桝本体１２の底部に溜まるので、貫通穴２４を通して浸透部材１３から雨水を効率よく地中に浸透させることができる。従って、大雨時において、雨水本管１６の負荷を軽減することができ、都市洪水を防止することが可能となる。また、舗装路に降った雨水をその舗装路の地中に返すことができ、水の自然循環を助成することができる。
【００４４】
（３）本実施の形態の浸透部材１３は、パイプ３１の周面に複数の透孔３３を有するため、雨水の浸透面積を十分に確保することができる。また、パイプ３１の透孔３３よりも細かい複数の細孔３４を有するストレーナー３２をパイプ３１内に設けることによって、雨水に含まれるゴミ（砂利や葉っぱなど）がパイプ３１内部に入り込むことを防止することができる。従って、パイプ３１の透孔３３の目詰まりなどによる雨水の浸透能力の低下を抑えることができる。さらに、この浸透部材１３では、パイプ３１が縦置きで配設されており、そのパイプ３１内に収納されるストレーナー３２の上部にフック３７が形成されている。そのため、桝本体１２底部の貫通穴２４を通してストレーナー３２の着脱を容易に行うことができ、メンテナンス作業を迅速に行うことができる。
【００４５】
（４）本実施の形態の雨水浸透桝１１では、桝本体１２の底面に貫通穴２４を設けたので、桝本体１２の側面に貫通穴２４を設ける場合と比較して貫通穴２４の加工を容易に行うことができる。また、桝本体１２の底面に比較的に大きな１つの貫通穴２４を設けるようにしているので、複数の貫通穴２４を形成する場合と比較して加工が容易であり、貫通穴２４に配置する浸透部材１３も１つで済むため、低コストかつ迅速に浸透部材１３（ストレーナー３２）の交換を行うことができ、実用上好ましいものとなる。
【００４６】
（５）本実施の形態の雨水浸透桝１１は、桝本体１２の底面に円形の貫通穴２４が形成され、その貫通穴２４の下側に円柱状の浸透部材１３が装着されるので、良好な外観を確保することができる。
【００４７】
（６）本実施の形態の加工装置４０では、軸振れ防止金具６５の各アーム部６７を桝本体１２のコーナー部に当接させることで、回転軸６２のブレを防止するようにした。このようにすれば、例えばアンカーボルトで固定する場合のように桝本体１２やその周辺の道路に傷をつけることがなく、回転軸６２のブレを確実に防止することができる。また、軸振れ防止金具６５では、調節部としての調節シャフト６８を回すことで各アーム部６７の伸縮量を調節できるため、桝本体１２のサイズが異なる場合でも、各アーム部６７の当接部材７０を桝本体１２に確実に当接させることができる。従って、回転軸６２のブレを確実に防止することができ、桝本体１２の底面に貫通穴２４を精度良く形成することができる。
【００４８】
（７）本実施の形態の加工装置４０は、水平調節機構４９によって本体フレーム４１を水平に保つことができるので、桝本体１２の底面に貫通穴２４をより正確に形成することができる。
【００４９】
（８）本実施の形態の加工装置４０では、本体フレーム４１のベース部材４６に車輪４８が設けられているので、車などで搬送した加工装置４０を道路脇の作業現場まで簡単に移動させることができる。
【００５０】
（９）本実施の形態の加工装置４０では、駆動装置として油圧モータ４３を用いたので、電動モータを用いる場合のように雨水や冷却水などによる漏電対策を施す必要がない。
【００５１】
なお、本発明の実施の形態は以下のように変更してもよい。
【００５２】
・上記実施の形態では、桝本体１２の底部における貫通穴２４の下方に浸透部材１３を設けるものであったが、図９のように貫通穴２４内に浸透部材８１を設けてもよいし、図１０のように貫通穴２４の上部を覆うように桝本体１２の底部に浸透部材８２を配置してもよい。
【００５３】
・上記実施の形態では、桝本体１２の底面に貫通穴２４を形成するものであったが、これ以外に底部の側面側に貫通穴２４を設けるように構成してもよい。ただし、上記実施の形態のように、桝本体１２の底面に貫通穴２４を形成する方が容易かつ迅速に加工作業を行うことができる。
【００５４】
・上記実施の形態では、縦横の長さが等しい３０ｃｍ角の雨水桝１０を加工するものであったが、細長い形状の雨水桝を加工してもよい。なおこの場合、図１１に示すような擬似ボックス８４を桝本体８５に配置して、貫通穴の加工作業を行う。具体的には、擬似ボックス８４は、上記実施の形態の桝本体１２と同様に真四角の開口部８６を有する。この擬似ボックス８４を桝本体８５の内側に介在させることで、軸振れ防止金具６５の各アーム部６７を擬似ボックス８４のコーナー部に確実に当接させることができる。これにより、油圧モータ４３の回転軸６２が水平方向にブレないように固定されるため、桝本体８５の底面に貫通穴２４を形成することができる。なお、擬似ボックス８４は、桝本体８５の内側に介在させた状態で本体フレーム４１のベース部材４６に固定される。この場合、その擬似ボックス８４と軸振れ防止金具６５とによって回転軸ブレ防止手段が構成される。
【００５５】
・上記実施の形態では、本体フレーム４１に昇降装置４２を有する加工装置４０に具体化するものであったが、図１２に示すような簡易型の加工装置９０に具体化してもよい。この加工装置９０では、支柱５８の基端側にハンドル９１が設けられ、支柱５８の先端側に油圧モータ４３が設けられている。また、この支柱５８の途中には上記実施の形態と同様に軸振れ防止金具６５が設けられている。この加工装置９０では、作業者がハンドル９１を手で持って作業し、ハンドル９１の上方から力を加えることにより、円形コンクリートカッター６３に下方への押圧力が作用して貫通穴２４の加工を行うことができる。
【００５６】
・上記実施の形態の加工装置４０は、回転軸６２の軸振れを防止するための軸振れ防止金具６５を備えていたが、例えば、桝本体１２が浅い場合には、貫通穴２４の加工時に軸振れがほとんど生じないので、軸振れ防止金具６５を省略してもよい。
【００５７】
・上記実施の形態において、軸振れ防止金具６５は、作業者が調節シャフト６８を回すことでアーム部６７の伸縮量を調整するように構成されていたが、駆動モータなどのアクチュエータを用いて自動に調整できるように構成してもよい。但し、アクチュエータを設けると、構成が複雑になり大型化するので、上記実施の形態のように、手動で調整する構成とすれば、軸振れ防止金具６５をコンパクトにすることができ、実用上好ましいものとなる。
【００５８】
・上記実施の形態における軸振れ防止金具６５は、４つのアーム部６７を用いて４点支持する構成であったが、アーム部６７を変更し、２点支持や３点支持などの構成に変更してもよい。
【００５９】
・上記実施の形態では、円形コンクリートカッター６３を用いて桝本体１２の底面に貫通穴２４を形成したが、それ以外の切削工具（例えば、ハンマーなどの工具）を用いてもよい。また、スクリューオーガー６４の代わりに、ダブルスコップなどを用いて浸透部材収容穴２６を形成してもよい。さらに、円形コンクリートカッターの内側に掘削用のドリルを納めた回転切削工具を用いて、貫通穴２４と浸透部材収容穴２６とを形成してもよい。
【００６０】
・上記実施の形態の加工装置４０では、油圧ユニット４４や掃除機を別体で設けるものであったが、それら油圧ユニット４４や掃除機の機能を有する加工装置を用いてもよい。但し、上記実施の形態のように、油圧ユニット４４や掃除機を加工装置４０と別体で設ける場合、その加工装置４０の小型化が可能となり、細い道路など狭い場所に加工装置４０を容易に移動させることができる。
【００６１】
・上記実施の形態では、道路の路肩に埋設された既設雨水桝１０を加工するものであったが、これ以外に駐車場などの舗装された場所や各家庭の庭に埋設された既設雨水桝１０を加工して雨水浸透桝１１に改変してもよい。
【００６２】
・上記実施の形態では、筒体であるパイプ３１内に浸透性のフィルタ材であるストレーナー３２を配置した構造を採用したが、以下のように変更してもよい。例えば、ストレーナー３２の代わりに、砕石、ガラス玉、セラミック玉等といった粒状物を充填配置する。粒状物は、パイプ３１に設けられた複数の透孔３３よりも細かいことがよい。あるいは、パイプ３１のみを設置してストレーナー３２を省略した構造とすることも可能である。
【００６３】
・上記実施の形態では、断面円形状の浸透部材収容穴２６を形成し、そこに円筒状のパイプ３１を配置したが、断面非円形状（例えば四角形状）の浸透部材収容穴を形成し、そこに同じ形状（この場合には四角形状）のパイプを配置するようにしてもよい。
【００６４】
次に、特許請求の範囲に記載された技術的思想のほかに、前述した実施の形態によって把握される技術的思想を以下に列挙する。
【００６５】
（１）請求項４または５において、前記本体フレームの水平度を調節するための水平調節機構を備えたことを特徴とする既設雨水桝加工装置。
【００６６】
（２）請求項４または５において、前記本体フレームの底部に、当該本体フレームを移動させるための車輪を備えたことを特徴とする既設雨水桝加工装置。
【００６７】
（３）請求項４または５において、前記回転軸の先端には、前記回転切削器具と土砂を掘削するための回転掘削器具とが交換可能に設けられることを特徴とする既設雨水桝加工装置。
【００６８】
（４）請求項４または５において、前記回転切削器具を上下動させるための昇降装置を備えたことを特徴とする既設雨水桝加工装置。
【００６９】
（５）請求項４または５において、前記駆動装置は、油圧によって駆動される油圧モータであることを特徴とする既設雨水桝加工装置。
【００７０】
（６）舗装路の地中に埋設され、前記舗装路に降った雨水を前記桝本体に一旦蓄えて雨水本管側に排出するとともに、前記雨水の一部を地中に浸透させる雨水浸透桝であって、底部に貫通穴が形成された有底筒状の桝本体と、前記桝本体の側壁に設けられ雨水本管と連結された排出管と、周面に複数の透孔を有する筒体と、前記複数の透孔よりも細かい複数の細孔を有し、前記筒体内に挿抜可能に配置される浸透性のフィルタ材とを含んで構成された浸透部材とを備え、前記貫通穴の下方にある浸透部材収容穴内に前記筒体が縦置きで配設され、前記筒体内に前記フィルタ材が挿入配置されていることを特徴とする雨水浸透桝。
【００７１】
（７）請求項６において、前記フィルタ材の端部に、着脱用のフックを備えたことを特徴とする雨水浸透桝。
【００７２】
（８）請求項６において、前記貫通穴は円形の穴であり、前記浸透部材は、円柱状の部材であることを特徴とする雨水浸透桝。
【図面の簡単な説明】
【００７３】
【図１】本発明を具体化した一実施の形態の雨水浸透桝を示す断面図。
【図２】既設雨水桝を示す断面図。
【図３】加工装置を示す側面図。
【図４】加工装置を示す正面図。
【図５】軸振れ防止金具を示す平面図。
【図６】軸振れ防止金具による固定方法を示す説明図。
【図７】（ａ）〜（ｄ）は雨水浸透桝化工法を説明するための断面図。
【図８】（ａ）〜（ｃ）は雨水浸透桝化工法を説明するための平面図。
【図９】別の実施の形態の雨水浸透桝を示す断面図。
【図１０】別の実施の形態の雨水浸透桝を示す断面図。
【図１１】擬似ボックスを示す斜視図。
【図１２】別の実施の形態の加工装置を示す正面図。
【符号の説明】
【００７４】
１０…既設雨水桝
１１…雨水浸透桝
１２，８５…桝本体
１３,８１，８２…浸透部材
１５…排出管
１６…雨水本管
２４…貫通穴
２５…土
２６…浸透部材収容穴
３１…筒体としてのパイプ
３２…フィルタ材としてのストレーナー
３３…透孔
３４…細孔
４０…既設雨水桝加工装置としての加工装置
４１…本体フレーム
４３…駆動装置としての油圧モータ
６２…回転軸
６３…回転切削工具としての円形コンクリートカッター
６５…回転軸ブレ防止手段としての軸振れ防止金具
６７…アーム部
６８…調節部としての調節シャフト
８４…回転軸ブレ防止手段を構成する擬似ボックス
【図１】
2007315088.tif 000003
【図２】
2007315088.tif 000004
【図３】
2007315088.tif 000005
【図４】
2007315088.tif 000006
【図５】
2007315088.tif 000007
【図６】
2007315088.tif 000008
【図７】
2007315088.tif 000009
【図８】
2007315088.tif 000010
【図９】
2007315088.tif 000011
【図１０】
2007315088.tif 000012
【図１１】
2007315088.tif 000013
【図１２】
2007315088.tif 000014
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
地中に埋設された既設雨水桝を加工して雨水浸透桝に改変する工法であって、
前記既設雨水桝を構成する有底筒状の桝本体を地中に埋設したままの状態で回転切削工具を用いて加工し、その底部に貫通穴を形成した後、前記貫通穴の下方にある土を回転掘削器具を用いて掘削して浸透部材収容穴を形成する穴あけ工程と、
前記浸透部材収容穴内に多孔性の浸透部材を配設する浸透部材配設工程と
を含むことを特徴とする、既設雨水桝の雨水浸透桝化工法。
【請求項２】
前記浸透部材は、周面に複数の透孔を有する筒体と、前記複数の透孔よりも細かい複数の細孔を有し、前記筒体内に挿抜可能に配置される浸透性のフィルタ材とを含んで構成され、
前記浸透部材配設工程では、前記浸透部材収容穴内に前記筒体を縦置きで配設した後、前記筒体内に前記フィルタ材を挿入配置することを特徴とする請求項１に記載の既設雨水桝の雨水浸透桝化工法。
【請求項３】
地中に埋設された既設雨水桝を加工して雨水浸透桝に改変するときに使用する装置であって、
本体フレームと、
前記本体フレームに支持される駆動装置と、
前記駆動装置の回転軸の先端に装着され、前記桝本体の底部に貫通穴を形成するための回転切削工具と、
前記既設雨水桝の内側面に当接することで前記駆動装置の駆動時における前記回転軸のブレを防止する回転軸ブレ防止手段と
を備えたことを特徴とする既設雨水桝加工装置。
【請求項４】
前記回転軸ブレ防止手段は、前記回転軸に直交する複数の方向に伸縮可能に設けられた複数のアーム部と、各アーム部の伸縮量を調節するための調節部とを有することを特徴とする請求項３に記載の既設雨水桝加工装置。
【請求項５】
地中に埋設された既設雨水桝を加工して形成された雨水浸透桝であって、
底部に貫通穴が形成された有底筒状の桝本体と、
前記桝本体の側壁に設けられ雨水本管と連結された排出管と、
周面に複数の透孔を有する筒体と、前記複数の透孔よりも細かい複数の細孔を有し、前記筒体内に挿抜可能に配置される浸透性のフィルタ材とを含んで構成された浸透部材と
を備え、前記貫通穴の下方にある浸透部材収容穴内に前記筒体が縦置きで配設され、前記筒体内に前記フィルタ材が挿入配置されていることを特徴とする雨水浸透桝。
【手続補正３】
【補正対象書類名】明細書
【補正対象項目名】０００１
【補正方法】変更
【補正の内容】
【０００１】
本発明は、既設雨水桝を加工して雨水浸透桝に改変する既設雨水桝の雨水浸透桝化工法、既設雨水桝加工装置、及び雨水浸透桝に関するものである。
【手続補正４】
【補正対象書類名】明細書
【補正対象項目名】０００９
【補正方法】変更
【補正の内容】
【０００９】
上記課題を解決するために、請求項１に記載の発明は、地中に埋設された既設雨水桝を加工して雨水浸透桝に改変する工法であって、前記既設雨水桝を構成する有底筒状の桝本体を地中に埋設したままの状態で回転切削工具を用いて加工し、その底部に貫通穴を形成した後、前記貫通穴の下方にある土を回転掘削器具を用いて掘削して浸透部材収容穴を形成する穴あけ工程と、前記浸透部材収容穴内に多孔性の浸透部材を配設する浸透部材配設工程とを含むことを特徴とする、既設雨水桝の雨水浸透桝化工法をその要旨とする。
【手続補正５】
【補正対象書類名】明細書
【補正対象項目名】００１０
【補正方法】変更
【補正の内容】
【００１０】
請求項１に記載の発明によれば、穴あけ工程において、既設雨水桝の桝本体が地中に埋設された状態でその桝本体の底部に貫通穴が形成される。そして、浸透部材配設工程において、その貫通穴の近傍に多孔性の浸透部材が配設される。このようにすれば、既設雨水桝を地中から掘り起こすことなく、その雨水桝を雨水浸透桝に改変することができる。従って、新規の雨水浸透桝に取り替える場合と比較して、簡単かつ迅速に雨水浸透桝を施工することができ、その施工コストを半分以下のコストに抑えることができる。
さらに、桝本体の底部から下方に突出するように浸透部材が配設されるので、貫通穴のみを設けた場合と比較して雨水の浸透面積を十分に確保することができる。また、雨水は桝本体の底部に溜まるので、貫通穴を通して浸透部材から雨水を効率よく地中に浸透させることができる。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項２に記載の発明は、請求項１において、前記浸透部材は、周面に複数の透孔を有する筒体と、前記複数の透孔よりも細かい複数の細孔を有し、前記筒体内に挿抜可能に配置される浸透性のフィルタ材とを含んで構成され、前記浸透部材配設工程では、前記浸透部材収容穴内に前記筒体を縦置きで配設した後、前記筒体内に前記フィルタ材を挿入配置することをその要旨とする。
【手続補正９】
【補正対象書類名】明細書
【補正対象項目名】００１４
【補正方法】変更
【補正の内容】
【００１４】
請求項２に記載の発明によれば、貫通穴の下方に形成された浸透部材収容穴内に筒体が縦置きで配設され、その筒体内部に浸透性のフィルタ材が挿入されることで、筒体とフィルタ材とからなる多孔性の浸透部材が貫通穴の下方に装着される。この浸透部材は、筒体の周面に複数の透孔を有するため、雨水の浸透面積を十分に確保することができる。また、筒体の透孔よりも細かい複数の細孔を有するフィルタ材を筒体内に設けることによって、雨水に含まれるゴミ（砂利や葉っぱなど）が筒体内部に入り込むことを防止することができる。従って、筒体の透孔の目詰まりなどによる雨水の浸透能力の低下を抑えることができる。さらに、この浸透部材では、筒体が縦置きで配設されているため、桝本体の底部の貫通穴を通してフィルタ材の着脱を容易に行うことができ、メンテナンス作業を迅速に行うことができる。
【手続補正１０】
【補正対象書類名】明細書
【補正対象項目名】００１５
【補正方法】変更
【補正の内容】
【００１５】
請求項３に記載の発明は、地中に埋設された既設雨水桝を加工して雨水浸透桝に改変するときに使用する装置であって、本体フレームと、前記本体フレームに支持される駆動装置と、前記駆動装置の回転軸の先端に装着され、前記桝本体の底部に貫通穴を形成するための回転切削工具と、前記既設雨水桝の内側面に当接することで前記駆動装置の駆動時における前記回転軸のブレを防止する回転軸ブレ防止手段とを備えたことを特徴とする既設雨水桝加工装置をその要旨とする。
【手続補正１１】
【補正対象書類名】明細書
【補正対象項目名】００１６
【補正方法】変更
【補正の内容】
【００１６】
請求項３に記載の発明によれば、本体フレームに駆動装置が支持され、その駆動装置によって回転軸が回転駆動される。また、回転軸ブレ防止手段が既設雨水桝の内側面に当接することで、駆動装置の駆動時における回転軸のブレが防止される。そのため、回転軸の先端に装着された切削器具により、桝本体の底部に貫通穴を精度良く形成することができる。また、このような構成の加工装置によれば、既設雨水桝が例えばコンクリート製であったとしても、桝本体の底部の破損等を伴うことなく所望の貫通穴を形成することができる。
【手続補正１２】
【補正対象書類名】明細書
【補正対象項目名】００１７
【補正方法】変更
【補正の内容】
【００１７】
請求項４に記載の発明は、請求項３において、前記回転軸ブレ防止手段は、前記回転軸に直交する複数の方向に伸縮可能に設けられた複数のアーム部と、各アーム部の伸縮量を調節するための調節部とを有することをその要旨とする。
【手続補正１３】
【補正対象書類名】明細書
【補正対象項目名】００１８
【補正方法】変更
【補正の内容】
【００１８】
請求項４に記載の発明によれば、回転軸ブレ防止手段の複数のアーム部を回転軸に直交する複数の方向に伸ばすことにより、各アーム部の先端を桝本体のコーナー部などに当接させることができる。よって、回転軸を複数の点で支持固定することができる。また、桝本体のサイズが異なる場合でも、調節部によって複数のアーム部の伸縮量を調節すれば、各アーム部の先端を桝本体に確実に当接させることができる。従って、この回転軸ブレ防止手段を用いることにより、回転軸のブレが確実に防止されるため、桝本体の底部における所定の位置に貫通穴を正確に形成することができる。
【手続補正１４】
【補正対象書類名】明細書
【補正対象項目名】００１９
【補正方法】変更
【補正の内容】
【００１９】
請求項５に記載の発明は、地中に埋設された既設雨水桝を加工して形成された雨水浸透桝であって、底部に貫通穴が形成された有底筒状の桝本体と、前記桝本体の側壁に設けられ雨水本管と連結された排出管と、周面に複数の透孔を有する筒体と、前記複数の透孔よりも細かい複数の細孔を有し、前記筒体内に挿抜可能に配置される浸透性のフィルタ材とを含んで構成された浸透部材とを備え、前記貫通穴の下方にある浸透部材収容穴内に前記筒体が縦置きで配設され、前記筒体内に前記フィルタ材が挿入配置されていることを特徴とする雨水浸透桝をその要旨とする。
【手続補正１５】
【補正対象書類名】明細書
【補正対象項目名】００２０
【補正方法】変更
【補正の内容】
【００２０】
請求項５に記載の発明によれば、既設雨水桝において排出管から雨水本管に排出していた雨水の一部を、桝本体の底部の貫通穴から浸透部材を通して地中に浸透させることができる。従って、本発明の雨水浸透桝を用いれば、より多くの雨水を排出することが可能となる。この雨水浸透桝に装着される浸透部材は、筒体の周面に複数の透孔を有するため、雨水の浸透面積を十分に確保できる。また、筒体の透孔よりも細かい複数の細孔を有するフィルタ材を筒体内に設けることによって、雨水に含まれるゴミ（砂利や葉っぱなど）が筒体内部に入り込むことを防止することができる。従って、筒体の透孔の目詰まりなどによる雨水の浸透能力の低下を抑えることができる。さらに、この浸透部材では、筒体が縦置きで配設されているため、桝本体の底部の貫通穴を通してフィルタ材の着脱を容易に行うことができ、メンテナンス作業を迅速に行うことができる。
【手続補正１６】
【補正対象書類名】明細書
【補正対象項目名】００２１
【補正方法】変更
【補正の内容】
【００２１】
以上詳述したように、請求項１または２に記載の発明によると、既設雨水桝を加工して、低コストで迅速に雨水浸透桝を施工することができる既設雨水桝の雨水浸透桝化工法を提供することができる。また、請求項３または４に記載の発明によると、既設雨水桝の雨水浸透桝化工法に使用するのに好適な既設雨水桝加工装置を提供することができる。さらに、請求項５に記載の発明によると、既設雨水桝を加工して、より多くの雨水を排出することができる雨水浸透桝を提供することができる。
【手続補正１７】
【補正対象書類名】明細書
【補正対象項目名】００３５
【補正方法】変更
【補正の内容】
【００３５】
先ず、加工前準備工程において、既設雨水桝１０のグレーチング蓋２２を開け、建設工事用の掃除機を使用して、桝本体１２内の雨水や泥などを除去する。そして、桝本体１２の底が確認できる状態にした後、加工装置４０を桝本体１２の上部に配置させる。このとき、加工装置４０のベース部材４６において、車輪４８のない他方の端部を桝本体１２の外側に配設された凸部（例えば、図３に示す角材５３）に載せる。その状態で車輪４８側の水平調節機構４９を調節することにより、平板５２の突出量を変更して本体フレーム４１を水平に保つようにする。
【手続補正１８】
【補正対象書類名】明細書
【補正対象項目名】００６５
【補正方法】変更
【補正の内容】
【００６５】
（１）請求項３または４において、前記本体フレームの水平度を調節するための水平調節機構を備えたことを特徴とする既設雨水桝加工装置。
【手続補正１９】
【補正対象書類名】明細書
【補正対象項目名】００６６
【補正方法】変更
【補正の内容】
【００６６】
（２）請求項３または４において、前記本体フレームの底部に、当該本体フレームを移動させるための車輪を備えたことを特徴とする既設雨水桝加工装置。
【手続補正２０】
【補正対象書類名】明細書
【補正対象項目名】００６７
【補正方法】変更
【補正の内容】
【００６７】
（３）請求項３または４において、前記回転軸の先端には、前記回転切削工具と土砂を掘削するための回転掘削器具とが交換可能に設けられることを特徴とする既設雨水桝加工装置。
【手続補正２１】
【補正対象書類名】明細書
【補正対象項目名】００６８
【補正方法】変更
【補正の内容】
【００６８】
（４）請求項３または４において、前記回転切削工具を上下動させるための昇降装置を備えたことを特徴とする既設雨水桝加工装置。
【手続補正２２】
【補正対象書類名】明細書
【補正対象項目名】００６９
【補正方法】変更
【補正の内容】
【００６９】
（５）請求項３または４において、前記駆動装置は、油圧によって駆動される油圧モータであることを特徴とする既設雨水桝加工装置。
【手続補正２３】
【補正対象書類名】明細書
【補正対象項目名】００７１
【補正方法】変更
【補正の内容】
【００７１】
（７）請求項５において、前記フィルタ材の端部に、着脱用のフックを備えたことを特徴とする雨水浸透桝。
【手続補正２４】
【補正対象書類名】明細書
【補正対象項目名】００７２
【補正方法】変更
【補正の内容】
【００７２】
（８）請求項５において、前記貫通穴は円形の穴であり、前記浸透部材は、円柱状の部材であることを特徴とする雨水浸透桝。
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
地中に埋設された既設雨水桝を加工して雨水浸透桝に改変する工法であって、
前記既設雨水桝を構成する有底筒状の桝本体の内側面に当接部材を当接させることにより、回転切削工具が装着された回転軸をブレないように固定する回転軸固定工程と、
前記桝本体を地中に埋設したままの状態で前記回転切削工具を用いて加工し、その底部に貫通穴を形成した後、前記貫通穴の下方にある土を回転掘削器具を用いて掘削して浸透部材収容穴を形成する穴あけ工程と、
周面に複数の透孔を有する筒体と、前記複数の透孔よりも細かい複数の細孔を有し、芯棒に樹脂繊維を巻きつけることで円柱状に形成され、前記筒体内に挿抜可能に配置される浸透性のフィルタ材と、前記樹脂繊維を挟み込むように前記芯棒の両端に固定され、前記樹脂繊維の部分よりも直径が若干小さくなっている金属板と、上端側の金属板に設けられた着脱用のフックとを含んで構成された浸透部材を、前記浸透部材収容穴内に配設する浸透部材配設工程と
を含むことを特徴とする、既設雨水桝の雨水浸透桝化工法。
【請求項２】
前記浸透部材配設工程では、前記浸透部材収容穴内に前記筒体を縦置きで配設した後、前記筒体内に前記フィルタ材を挿入配置することを特徴とする請求項１に記載の既設雨水桝の雨水浸透桝化工法。
【請求項３】
請求項１または２に記載の既設雨水桝の雨水浸透桝化工法を行って、前記既設雨水桝を加工して雨水浸透桝に改変するときに使用する装置であって、
本体フレームと、
前記本体フレームに支持される駆動装置と、
前記駆動装置の回転軸の先端に装着され、前記桝本体の底部に貫通穴を形成するための回転切削工具と、
前記回転切削工具に替えて前記駆動装置の回転軸の先端に装着可能であり、前記貫通穴の下方にある土を掘削して前記浸透部材収容穴を形成するための前記回転掘削器具と、
前記既設雨水桝の内側面に当接することで前記駆動装置の駆動時における前記回転軸のブレを防止する回転軸ブレ防止手段と
を備えたことを特徴とする既設雨水桝加工装置。
【請求項４】
前記回転軸ブレ防止手段は、前記回転軸に直交する複数の方向に伸縮可能に設けられた複数のアーム部と、各アーム部の伸縮量を調節するための調節部とを有することを特徴とする請求項３に記載の既設雨水桝加工装置。
【請求項５】
地中に埋設された既設雨水桝を加工して形成された雨水浸透桝であって、
底部に貫通穴が形成された有底筒状の桝本体と、
前記桝本体の側壁に設けられ雨水本管と連結された排出管と、
周面に複数の透孔を有する筒体と、前記複数の透孔よりも細かい複数の細孔を有し、芯棒に樹脂繊維を巻きつけることで円柱状に形成され、前記筒体内に挿抜可能に配置される浸透性のフィルタ材と、前記樹脂繊維を挟み込むように前記芯棒の両端に固定され、前記樹脂繊維の部分よりも直径が若干小さくなっている金属板と、上端側の金属板に設けられた着脱用のフックとを含んで構成された浸透部材と
を備え、前記貫通穴の下方にある浸透部材収容穴内に前記筒体が縦置きで配設され、前記筒体内に前記フィルタ材が挿入配置されていることを特徴とする雨水浸透桝。
【手続補正２】
【補正対象書類名】明細書
【補正対象項目名】０００９
【補正方法】変更
【補正の内容】
【０００９】
上記課題を解決するために、請求項１に記載の発明は、地中に埋設された既設雨水桝を加工して雨水浸透桝に改変する工法であって、前記既設雨水桝を構成する有底筒状の桝本体の内側面に当接部材を当接させることにより、回転切削工具が装着された回転軸をブレないように固定する回転軸固定工程と、前記桝本体を地中に埋設したままの状態で前記回転切削工具を用いて加工し、その底部に貫通穴を形成した後、前記貫通穴の下方にある土を回転掘削器具を用いて掘削して浸透部材収容穴を形成する穴あけ工程と、周面に複数の透孔を有する筒体と、前記複数の透孔よりも細かい複数の細孔を有し、芯棒に樹脂繊維を巻きつけることで円柱状に形成され、前記筒体内に挿抜可能に配置される浸透性のフィルタ材と、前記樹脂繊維を挟み込むように前記芯棒の両端に固定され、前記樹脂繊維の部分よりも直径が若干小さくなっている金属板と、上端側の金属板に設けられた着脱用のフックとを含んで構成された浸透部材を、前記浸透部材収容穴内に配設する浸透部材配設工程とを含むことを特徴とする、既設雨水桝の雨水浸透桝化工法をその要旨とする。
【手続補正３】
【補正対象書類名】明細書
【補正対象項目名】００１０
【補正方法】変更
【補正の内容】
【００１０】
請求項１に記載の発明によれば、穴あけ工程において、既設雨水桝の桝本体が地中に埋設された状態でその桝本体の底部に貫通穴が形成される。そして、浸透部材配設工程において、その貫通穴の近傍に多孔性の浸透部材が配設される。このようにすれば、既設雨水桝を地中から掘り起こすことなく、その雨水桝を雨水浸透桝に改変することができる。従って、新規の雨水浸透桝に取り替える場合と比較して、簡単かつ迅速に雨水浸透桝を施工することができ、その施工コストを半分以下のコストに抑えることができる。
さらに、桝本体の底部から下方に突出するように浸透部材が配設されるので、貫通穴のみを設けた場合と比較して雨水の浸透面積を十分に確保することができる。また、雨水は桝本体の底部に溜まるので、貫通穴を通して浸透部材から雨水を効率よく地中に浸透させることができる。
なお、浸透部材は、筒体の周面に複数の透孔を有するため、雨水の浸透面積を十分に確保することができる。また、筒体の透孔よりも細かい複数の細孔を有するフィルタ材を筒体内に設けることによって、雨水に含まれるゴミ（砂利や葉っぱなど）が筒体内部に入り込むことを防止することができる。従って、筒体の透孔の目詰まりなどによる雨水の浸透能力の低下を抑えることができる。
【手続補正４】
【補正対象書類名】明細書
【補正対象項目名】００１３
【補正方法】変更
【補正の内容】
【００１３】
請求項２に記載の発明は、請求項１において、前記浸透部材配設工程では、前記浸透部材収容穴内に前記筒体を縦置きで配設した後、前記筒体内に前記フィルタ材を挿入配置することをその要旨とする。
【手続補正５】
【補正対象書類名】明細書
【補正対象項目名】００１４
【補正方法】変更
【補正の内容】
【００１４】
請求項２に記載の発明によれば、貫通穴の下方に形成された浸透部材収容穴内に筒体が縦置きで配設され、その筒体内部に浸透性のフィルタ材が挿入されることで、筒体とフィルタ材とからなる多孔性の浸透部材が貫通穴の下方に装着される。この浸透部材では、筒体が縦置きで配設されているため、桝本体の底部の貫通穴を通してフィルタ材の着脱を容易に行うことができ、メンテナンス作業を迅速に行うことができる。
【手続補正６】
【補正対象書類名】明細書
【補正対象項目名】００１５
【補正方法】変更
【補正の内容】
【００１５】
請求項３に記載の発明は、請求項１または２に記載の既設雨水桝の雨水浸透桝化工法を行って、前記既設雨水桝を加工して雨水浸透桝に改変するときに使用する装置であって、本体フレームと、前記本体フレームに支持される駆動装置と、前記駆動装置の回転軸の先端に装着され、前記桝本体の底部に貫通穴を形成するための回転切削工具と、前記回転切削工具に替えて前記駆動装置の回転軸の先端に装着可能であり、前記貫通穴の下方にある土を掘削して前記浸透部材収容穴を形成するための前記回転掘削器具と、前記既設雨水桝の内側面に当接することで前記駆動装置の駆動時における前記回転軸のブレを防止する回転軸ブレ防止手段とを備えたことを特徴とする既設雨水桝加工装置をその要旨とする。
【手続補正７】
【補正対象書類名】明細書
【補正対象項目名】００１９
【補正方法】変更
【補正の内容】
【００１９】
請求項５に記載の発明は、地中に埋設された既設雨水桝を加工して形成された雨水浸透桝であって、底部に貫通穴が形成された有底筒状の桝本体と、前記桝本体の側壁に設けられ雨水本管と連結された排出管と、周面に複数の透孔を有する筒体と、前記複数の透孔よりも細かい複数の細孔を有し、芯棒に樹脂繊維を巻きつけることで円柱状に形成され、前記筒体内に挿抜可能に配置される浸透性のフィルタ材と、前記樹脂繊維を挟み込むように前記芯棒の両端に固定され、前記樹脂繊維の部分よりも直径が小さくなっている金属板と、上端側の金属板に設けられた着脱用のフックとを含んで構成された浸透部材とを備え、前記貫通穴の下方にある浸透部材収容穴内に前記筒体が縦置きで配設され、前記筒体内に前記フィルタ材が挿入配置されていることを特徴とする雨水浸透桝をその要旨とする。